(57)【要約】【課題】電子機器への無線信号の届き難さに応じて、無線信号の出力を強くすることが可能となるリモートコントロール装置を提供する。【解決手段】電子機器の操作用の無線信号を出力するリモートコントロール装置であって、ユーザに操作される操作部と、第１信号出力部と第２信号出力部を有し、前記操作に応じた前記無線信号を出力する無線信号出力部と、前記電子機器への前記無線信号の届き難さに関連する所定の判別条件が満たされたか否かを判別する判別部と、を備え、前記判別条件が満たされたときに、第１信号出力部に前記無線信号を出力させて第２信号出力部に前記無線信号を出力させない第１動作モードから、第１信号出力部および第２信号出力部に前記無線信号を出力させる第２動作モードへ移行するリモートコントロール装置とする。【選択図】図３
2014225767.tif 000002
【特許請求の範囲】
【請求項１】
電子機器の操作用の無線信号を出力するリモートコントロール装置であって、
ユーザに操作される操作部と、
第１信号出力部と第２信号出力部を有し、前記操作に応じた前記無線信号を出力する無線信号出力部と、
前記電子機器への前記無線信号の届き難さに関連する所定の判別条件が満たされたか否かを判別する判別部と、を備え、
前記判別条件が満たされたときに、
第１信号出力部に前記無線信号を出力させて第２信号出力部に前記無線信号を出力させない第１動作モードから、第１信号出力部および第２信号出力部に前記無線信号を出力させる第２動作モードへ移行することを特徴とするリモートコントロール装置。
【請求項２】
前記判別条件は、
前記操作部における操作に関連する条件であることを特徴とする請求項１に記載のリモートコントロール装置。
【請求項３】
前記操作部は、押下操作される第１操作キーを有しており、
前記判別条件は、
同じ第１操作キーが所定時間内に既定の複数回以上押下されたときに、満たされる条件であることを特徴とする請求項２に記載のリモートコントロール装置。
【請求項４】
前記操作部は、押下操作される第２操作キーを有しており、
前記判別条件は、
同じ第２操作キーについての押下の強さが前回の押下時より高かったときに、満たされる条件であることを特徴とする請求項２または請求項３に記載のリモートコントロール装置。
【請求項５】
第２動作モードに移行してからの既定時間後に第１動作モードへ復帰する復帰動作、を実行することを特徴とする請求項１から請求項４の何れかに記載のリモートコントロール装置。
【請求項６】
第１動作モードから第２動作モードへ移行した回数をカウントし、
前記カウントされた回数が既定回数に達した場合には、前記復帰動作を実行しないことを特徴とする請求項５に記載のリモートコントロール装置。
【請求項７】
前記無線信号の出力をＰＷＭ制御するＰＷＭ制御部を備え、
前記ＰＷＭ制御部は、
第２動作モードにおける前記ＰＷＭ制御のデューティ比を、第１動作モードにおける前記ＰＷＭ制御のデューティ比より増大させることを特徴とする請求項１から請求項６の何れかに記載のリモートコントロール装置。
【請求項８】
第１信号出力部と第２信号出力部は、
前記無線信号の光を出す光源であることを特徴とする請求項１から請求項７の何れかに記載のリモートコントロール装置。
【請求項９】
前記無線信号出力部は、
第１信号出力部の光軸と第２信号出力部の光軸が平行となるように設定されていることを特徴とする請求項８に記載のリモートコントロール装置。
【請求項１０】
前記無線信号出力部は、
第１信号出力部の光軸と第２信号出力部の光軸が交わるように設定されていることを特徴とする請求項８に記載のリモートコントロール装置。
【請求項１１】
バッテリからの供給電力を用いて駆動する請求項１に記載のリモートコントロール装置であって、
前記判別条件は、
前記バッテリの電圧が所定値以下となったときに満たされる条件であることを特徴とするリモートコントロール装置。
【請求項１２】
電子機器の操作用の無線信号を出力するリモートコントロール装置であって、
ユーザに操作される操作部と、
前記操作に応じた前記無線信号を出力する無線信号出力部と、
前記無線信号の出力についてのＰＷＭ制御を行うＰＷＭ制御部と、
前記電子機器への前記無線信号の届き難さに関連する所定の判別条件が満たされたか否かを判別する判別部と、を備え、
前記ＰＷＭ制御部は、
前記判別条件が満たされたときに、前記ＰＷＭ制御のデューティ比を増大させることを特徴とするリモートコントロール装置。
【請求項１３】
請求項１から請求項１２の何れかに記載のリモートコントロール装置と、
前記リモートコントロール装置によって遠隔操作される電子機器と、
を有することを特徴とする電子機器システム。
【発明の詳細な説明】
【技術分野】
【０００１】
本発明は、リモートコントロール装置、およびこれを有する電子機器システムに関する。
【背景技術】
【０００２】
従来、電子機器の遠隔操作に用いられるリモートコントロール装置が広く利用されている。リモートコントロール装置は、操作に応じた無線信号を出力するように構成されており、この無線信号が電子機器へ届くことにより遠隔操作が実現される。
【０００３】
但し、例えば電子機器とリモートコントロール装置が離れ過ぎていたり、双方の間に何らかの障害物やノイズ要因があったりすると、無線信号が電子機器へ届き難くなる。無線信号が電子機器へ届き難くなると、遠隔操作の利きが悪くなり、利便性が損なわれる虞がある。
【先行技術文献】
【特許文献】
【０００４】
【特許文献１】特開２００６−２７０１５２号公報
【発明の概要】
【発明が解決しようとする課題】
【０００５】
遠隔操作の利きの悪化を極力抑えるためには、無線信号の出力を強くしておき、無線信号が届き易いようにすれば良いようにも思われる。しかし無線信号の出力を強くすると消費電力が増大し、例えばバッテリの残容量が減りやすくなる。このような事情から、無線信号の出力を常時強くしておくのではなく、電子機器への無線信号の届き難さに応じて、無線信号の出力を強くすることが望ましい。
【０００６】
本発明は上述した問題に鑑み、電子機器への無線信号の届き難さに応じて、無線信号の出力を強くすることが可能となるリモートコントロール装置、およびこれを備えた電子機器システムの提供を目的とする。
【課題を解決するための手段】
【０００７】
本発明に係るリモートコントロール装置は、電子機器の操作用の無線信号を出力するリモートコントロール装置であって、ユーザに操作される操作部と、第１信号出力部と第２信号出力部を有し、前記操作に応じた前記無線信号を出力する無線信号出力部と、前記電子機器への前記無線信号の届き難さに関連する所定の判別条件が満たされたか否かを判別する判別部と、を備え、前記判別条件が満たされたときに、第１信号出力部に前記無線信号を出力させて第２信号出力部に前記無線信号を出力させない第１動作モードから、第１信号出力部および第２信号出力部に前記無線信号を出力させる第２動作モードへ移行する構成とする。
【０００８】
本構成によれば、電子機器への無線信号の届き難さに応じて、無線信号の出力を強くすることが可能となる。なお「前記電子機器への前記無線信号の届き難さに関連する所定の判別条件」とは、当該無線信号の届き難さが比較的高いときに満たされる条件のことを指し、その具体的内容は問わない。
【０００９】
また上記構成としてより具体的には、前記判別条件は、前記操作部における操作に関連する条件である構成としてもよい。電子機器へ無線信号が届き難いときには、例えばリモコン操作が利き難くなり、ユーザによって特徴的な操作が行われる傾向にある。そのため本構成によれば、無線信号の届き難さを判別することが可能となる。
【００１０】
また上記構成としてより具体的には、前記操作部は、押下操作される第１操作キーを有しており、前記判別条件は、同じ第１操作キーが所定時間内に既定の複数回以上押下されたときに、満たされる条件である構成としてもよい。
【００１１】
また上記構成としてより具体的には、前記操作部は、押下操作される第２操作キーを有しており、前記判別条件は、同じ第２操作キーについての押下の強さが前回の押下時より高かったときに、満たされる条件である構成としてもよい。
【００１２】
また上記構成としてより具体的には、第２動作モードに移行してからの既定時間後に第１動作モードへ復帰する復帰動作、を実行する構成としてもよい。本構成によれば、例えば、いつまでも第２動作モードが続くことによる電力の無駄を抑えることが可能となる。
【００１３】
また上記構成としてより具体的には、第１動作モードから第２動作モードへ移行した回数をカウントし、前記カウントされた回数が既定回数に達した場合には、前記復帰動作を実行しない構成としてもよい。本構成によれば、例えば、無線信号が届き難い状況が長く続くようなときには、復帰動作が行われないようにすることが可能となる。
【００１４】
また上記構成としてより具体的には、前記無線信号の出力をＰＷＭ制御するＰＷＭ制御部を備え、前記ＰＷＭ制御部は、第２動作モードにおける前記ＰＷＭ制御のデューティ比を、第１動作モードにおける前記ＰＷＭ制御のデューティ比より増大させる構成としてもよい。また上記構成としてより具体的には、第１信号出力部と第２信号出力部は、前記無線信号の光を出す光源である構成としてもよい。
【００１５】
また上記構成としてより具体的には、前記無線信号出力部は、第１信号出力部の光軸と第２信号出力部の光軸が平行となるように設定されている構成としてもよい。また上記構成としてより具体的には、前記無線信号出力部は、第１信号出力部の光軸と第２信号出力部の光軸が交わるように設定されている構成としてもよい。
【００１６】
またバッテリからの供給電力を用いて駆動する上記構成のリモートコントロール装置において、前記判別条件は、前記バッテリの電圧が所定値以下となったときに満たされる条件である構成としてもよい。
【００１７】
また本発明の他の形態に係るリモートコントロール装置は、電子機器の操作用の無線信号を出力するリモートコントロール装置であって、ユーザに操作される操作部と、前記操作に応じた前記無線信号を出力する無線信号出力部と、前記無線信号の出力についてのＰＷＭ制御を行うＰＷＭ制御部と、前記電子機器への前記無線信号の届き難さに関連する所定の判別条件が満たされたか否かを判別する判別部と、を備え、前記ＰＷＭ制御部は、前記判別条件が満たされたときに、前記ＰＷＭ制御のデューティ比を増大させる構成とする。本構成によれば、電子機器への無線信号の届き難さに応じて、無線信号の出力を強くすることが可能となる。
【００１８】
また本発明に係る電子機器システムは、上記構成に係るリモートコントロール装置と、前記リモートコントロール装置によって遠隔操作される電子機器と、を有する構成とする。本構成によれば、上記構成のリモートコントロール装置の利点を享受することが可能となる。
【発明の効果】
【００１９】
本発明に係るリモートコントロール装置によれば、電子機器への無線信号の届き難さに応じて、無線信号の出力を強くすることが可能となる。また本発明に係る電子機器システムによれば、本発明に係るリモートコントロール装置の利点を享受することが可能となる。
【図面の簡単な説明】
【００２０】
【図１】第１実施形態に係る電子機器システムのブロック図である。
【図２】第１実施形態に係るリモコン装置の外観図である。
【図３】第１実施形態に係る動作モード切替処理に関するフローチャートである。
【図４】各光源における光軸の方向に関する説明図である。
【図５】第２実施形態に係る動作モード切替処理に関するフローチャートである。
【図６】第３実施形態に係る電子機器システムのブロック図である。
【図７】第３実施形態に係るリモコン装置の外観図である。
【図８】ＰＷＭ制御が行われた場合のリモコン信号の形態に関するグラフである。
【図９】ＰＷＭ制御のデューティ比に関する説明図である。
【図１０】第４実施形態に係る電子機器システムのブロック図である。
【発明を実施するための形態】
【００２１】
本発明の実施形態について第１から第４実施形態の各々を例に挙げ、図面を参照しながら以下に説明する。なお以下の説明では、「リモートコントロール」を「リモコン」を略記することがある。
【００２２】
１．第１実施形態
まず第１実施形態について説明する。図１は、本実施形態に係る電子機器システムの構成に関するブロック図である。本図に示すように当該電子機器システムは、テレビ放送受像機１およびリモコン装置２を有している。
【００２３】
テレビ放送受像機１は、受像動作部１１、テレビ側制御部１２、およびリモコン信号受信部１３を備えている。また受像動作部１１は、テレビ放送受信部１１ａ、信号処理部１１ｂ、ディスプレイ１１ｃ、およびスピーカ１１ｄ等を有している。
【００２４】
テレビ放送受信部１１ａは、例えばアンテナに接続されており、テレビ放送の放送信号の入力を受付ける。当該放送信号には、テレビ番組の画像や音声の情報が含まれている。またテレビ放送受信部１１ａはチューナを有しており、放送信号に対して選局処理を施して、選局されたチャンネル（受信チャンネル）の信号を後段側に送出する。
【００２５】
信号処理部１１ｂは、テレビ放送受信部１１ａから受取った放送信号に対して、所定の処理（復調や復号を行う処理、画像や音声を調整する処理など）を施す。これによりテレビ放送受信部１１ｂは、テレビ番組の画像の情報を含んだ画像信号、およびテレビ番組の音声の情報を含んだ音声信号を生成する。生成された画像信号はディスプレイ１１ｃに送出され、音声信号はスピーカ１１ｄに送出される。
【００２６】
ディスプレイ１１ｃは、例えば液晶ディスプレイによって形成されており、信号処理部１１ｂから受ける画像信号に基づいて、画像を表示するように形成されている。スピーカ１１ｄは、信号処理部１１ｂから受ける音声信号に基づいて、音声を出力するように形成されている。
【００２７】
テレビ側制御部１２は、テレビ放送受像機１が適切に動作するように、受像動作部１１等の各部を制御する。リモコン信号受信部１３は、例えばテレビ放送受像機１の前側に露出した受光部を備えており、リモコン装置２から送信されたリモコン信号（無線信号）を受信する。またリモコン信号受信部１３は、受信したリモコン信号を解析することにより、当該リモコン信号に含まれる操作情報（リモコン装置２におけるキー操作の情報であり、操作キーに対応したコード等を含む）を取得する。
【００２８】
このようにして得られた操作情報は、テレビ側制御部１２へ送出される。テレビ側制御部１２は、リモコン信号受信部１３から操作情報を受けると、この操作情報が反映されるように各部を制御する。
【００２９】
また図１に示すようにリモコン装置２は、操作部２１、リモコン側制御部２２、光源部２３、およびバッテリ２４等を有している。リモコン装置２は、テレビ放送受像機１の遠隔操作に用いられる装置である。
【００３０】
操作部２１は、ユーザによって押下操作される複数の操作キー（押しボタン式キースイッチ）を有している。何れかの操作キーが操作される度に、そのキー操作の情報がリモコン側制御部２２に伝送される。
【００３１】
リモコン側制御部２２は、操作部２１におけるキー操作に応じたリモコン信号を出力するように、光源部２３を制御する。またリモコン側制御部２２は、テレビ放送受像機１へのリモコン信号の届き難さに関連する所定の判別条件が満たされたか否か、を判別する機能をも有している。当該判別条件の具体的内容については、後述の説明により明らかとなる。リモコン側制御部２２は、この判別の結果に応じて、光源部２３を制御するようになっている。
【００３２】
光源部２３は、リモコン信号の光を出すことが可能な光源として、第１光源２３−１および第２光源２３−２を有している。これらの光源（２３−１、２３−２）は、例えば赤外線を出すＬＥＤである。第１光源２３−１は、リモコン信号を出力する際には、基本的に常時使用される。第２光源２３−２は、後述する強出力モードのときに、第１光源２３−１とともに使用される。バッテリ２４は、リモコン装置２の各部（リモコン側制御部２２や光源部２３を含む）に駆動電力を供給する。
【００３３】
また図２は、リモコン装置２の外観図を表している。このようにリモコン装置２は、略直方体である筐体の表面に、複数の操作キーが露出した形態となっている。なお操作キーの種類としては、電源切替キーＫｐ、「０」〜「１２」の各数字キーＫｎ、チャンネルＵＰキーＫcu、チャンネルＤＯＷＮキーＫcd、音量ＵＰキーＫvu、および音量ＤＯＷＮキーＫvdなどが存在する。
【００３４】
電源切替キーＫｐは、ユーザがテレビ放送受像機１側の電源のオン／オフを切替えようとするときに、押下される操作キーである。数字キーＫｎは、ユーザがテレビ放送受像機１側の受信チャンネル等を直接指定しようとするとき（例えば、受信チャンネルをその数字のチャンネルに切替えようとするとき）に、押下される操作キーである。
【００３５】
またチャンネルＵＰキーＫcuは、ユーザがテレビ放送受像機１側の受信チャンネルを昇順に切替えようとするときに、押下される操作キーである。またチャンネルＤＯＷＮキーＫcdは、ユーザがテレビ放送受像機１側の受信チャンネルを降順に切替えようとするときに、押下される操作キーである。
【００３６】
また音量ＵＰキーＫvuは、ユーザがテレビ放送受像機１側（スピーカ１１ｄ）の音量を一段階ずつ大きくしようとするときに、押下される操作キーである。また音量ＤＯＷＮキーＫvdは、ユーザがテレビ放送受像機１側（スピーカ１１ｄ）の音量を一段階ずつ小さくしようとするときに、押下される操作キーである。
【００３７】
また図２に示すように、第１光源２３−１と第２光源２３−２は、リモコン装置２の筐体の同じ側面に並べて設けられている。また第１光源２３−１の光軸Ｘ１および第２光源２３−２の光軸Ｘ２は、リモコン操作の利き易さ等を考慮して設定されている。なおこれらの光軸（Ｘ１、Ｘ２）の向きについては、改めて詳細に説明する。
【００３８】
電源切替キーＫｐの押下に対応したリモコン信号がリモコン信号受信部１３に届くと、テレビ側制御部１２によって、テレビ放送受像機１の電源のオン／オフが切替えられる。なおテレビ放送受像機１は、電源オンのときには、テレビ放送の受像を含む通常の動作を実行するが、電源オフのときには、テレビ放送の受像等を行わず省電力の状態となる。
【００３９】
また数字キーＫｎの押下に対応したリモコン信号がリモコン信号受信部１３に届くと、テレビ側制御部１２によって、テレビ放送受像機１の受信チャンネルがその数字キーＫｎのチャンネルに切替えられる。例えば「３」の数字キーＫｎの押下に対応したリモコン信号の場合、受信チャンネルが「３」チャンネルに切替えられる。
【００４０】
またチャンネルＵＰキーＫcuの押下に対応したリモコン信号がリモコン信号受信部１３に届くと、テレビ側制御部１２によって、テレビ放送受像機１の受信チャンネルが昇順の次のチャンネルに切替えられる。またチャンネルＤＯＷＮキーＫcdの押下に対応したリモコン信号がリモコン信号受信部１３に届くと、テレビ側制御部１２によって、テレビ放送受像機１の受信チャンネルが降順の次のチャンネルに切替えられる。
【００４１】
また音量ＵＰキーＫvuの押下に対応したリモコン信号がリモコン信号受信部１３に届くと、テレビ側制御部１２によって、テレビ放送受像機１の音量が一段階だけ大きくされる。また音量ＤＯＷＮキーＫvdの押下に対応したリモコン信号がリモコン信号受信部１３に届くと、テレビ側制御部１２によって、テレビ放送受像機１の音量が一段階だけ小さくされる。
【００４２】
なおチャンネルＵＰキーＫcu、チャンネルＤＯＷＮキーＫcd、音量ＵＰキーＫvu、および音量ＤＯＷＮキーＫvdについては、長押しされたとき（押下された状態が既定時間以上続いたとき）に、連続して複数回に亘って押下されたとみなされるようにしても良い。
【００４３】
また、音量ＵＰキーＫvuおよび音量ＤＯＷＮキーＫvdは、音量を一段階ずつ切替えるための操作キーであることから、短い時間（例えば数秒程度）内に連続して複数回操作されることがある。例えば現状より音量を３段階大きくするためには、音量ＵＰキーＫvuが、このように連続して３回操作される。また同様に、チャンネルＵＰキーＫcuおよびチャンネルＤＯＷＮキーＫcdについても、受信チャンネルを順に切替える操作キーであることから、短い時間内に連続して複数回操作されることがある。
【００４４】
このように、通常の使用形態で短い時間内に連続して複数回操作されることがある操作キーを、以下、「連続操作型」の操作キーと称する。なお例えば数字キーＫｎについては、基本的に短い時間内に連続して複数回操作されることはない。従って数字キーＫｎは、連続操作型の操作キーではないとする。
【００４５】
上述したように、リモコン装置２から送信されるリモコン信号がテレビ放送受像機１へ届くことによって、テレビ放送受像機１の遠隔操作が実現される。またリモコン装置２は、キー操作に応じたリモコン信号を出力する動作と並行して、動作モード切替処理を実行する。動作モード切替処理は、テレビ放送受像機１へのリモコン信号の届き難さに応じて、リモコン信号の出力に関する動作モードを適宜切替えるための一連の処理である。
【００４６】
［動作モード切替処理］
以下、動作モード切替処理の内容について、図３に示すフローチャートを参照しながら説明する。なお通常時、リモコン装置２の動作モードは通常モードとなっている。
【００４７】
通常モードでは、リモコン側制御部２２は、第１光源２３−１にリモコン信号を出力させて、第２光源２３−２にリモコン信号を出力させないように、光源部２３を制御する。これにより、第２光源２３−２の発光が不要となる分だけ電力消費が抑えられ、バッテリ２４を長持ちさせることが可能である。なお通常モードでは、電力消費を極力抑えるため、リモコン信号の届く距離が必要最小限（例えば２〜３ｍ程度）となるように、第１光源２３−１の出力強度が設定されても良い。
【００４８】
通常モードにおいてリモコン側制御部２２は、何れかの操作キーが押下されたとき（ステップＳ１のＹ）、この押下された操作キーが連続操作型であるか否かを認識する（ステップＳ２）。
【００４９】
押下された操作キーが連続操作型ではない場合（ステップＳ２のＮ）、リモコン側制御部２２は、今回の押下分を合わせて、当該操作キーが一定期間（例えば数秒程度）内に２回以上押下されたか否かを判別する（ステップＳ３）。当該操作キーが一定期間内に２回以上押下された場合には、テレビ放送受像機１へリモコン信号が届き難くなっていると推定される。
【００５０】
すなわち連続操作型ではない操作キーについては、通常の操作のために、一定期間内に２回以上押下されることは考え難い。それにも関わらず、一定期間内に２回以上押下されたということは、１回目の押下ではテレビ放送受像機１へリモコン信号が届かず、リモコン操作が利かなかったために、ユーザが２回目以降の押下を試みたと想定される。従って、この場合には、テレビ放送受像機１へリモコン信号が届き難くなっていると推定される。
【００５１】
そこで当該操作キーが一定期間内に２回以上押下された場合には（ステップＳ３のＹ）、リモコン装置２の動作モードは強出力モードへ移行する（ステップＳ５）。なお本実施形態では「２回」以上押下された場合としたが、この「２回」は、３回以上の何れかとしておいても良い。また当該操作キーが一定期間内に２回以上押下されていない場合には（ステップＳ３のＮ）、動作モード切替処理の流れはステップＳ１に戻る。
【００５２】
強出力モードでは、リモコン側制御部２２は、第１光源２３−１および第２光源２３−２の両方にリモコン信号を出力させるように、光源部２３を制御する。これにより、リモコン信号の出力強度が総合的に見て増大する分だけ、テレビ放送受像機１へリモコン信号が届き易くなり、リモコン操作が利き易くなる。なお強出力モードでは、リモコン信号がテレビ放送受像機１へ極力届き易くなるように、リモコン信号の届く距離が比較的長く（例えば８ｍ程度に）なるように、各光源（２３−１、２３−２）の出力強度が設定されても良い。
【００５３】
一方で押下された操作キーが連続操作型である場合（ステップＳ２のＹ）、リモコン側制御部２２は、当該操作キーについての押下の強さが、前回より今回の方が高いか否かを判別する（ステップＳ４）。なおリモコン装置２には、連続操作型の各操作キーについての押下の強さを検出する感圧センサが設けられており、このような判別を行うことが可能となっている。
【００５４】
押下の強さが前回より今回の方が高いということは、前回の押下ではテレビ放送受像機１へリモコン信号が届かず、リモコン操作が利かなかったために、ユーザが押下の強さが足りなかったと考えて今回はより強く押下したと想定される。従って、この場合には、テレビ放送受像機１へリモコン信号が届き難くなっていると推定される。そこで当該操作キーについての押下の強さが、前回より今回の方が高い場合にも（ステップＳ４のＹ）、リモコン装置２の動作モードは、強出力モードへ移行する（ステップＳ５）。なおそうでない場合には（ステップＳ４のＮ）、動作モード切替処理の流れはステップＳ１に戻る。
【００５５】
また強出力モードへ移行した時点から既定時間が経過すると（ステップＳ６のＹ）、リモコン装置２の動作モードは、通常モードへ移行する（ステップＳ７）。その後、動作モード切替処理の流れはステップＳ１に戻る。
【００５６】
なお第１実施形態では、強出力モードに移行してからの既定時間後に通常モードへ復帰する動作（復帰動作）が行われるため、いつまでも強出力モードが続くことによる電力の無駄は抑えられる。但し、テレビ放送受像機１へリモコン信号が届き難い状況が長く続くようなときは、復帰動作が行われることなく、既定時間の経過後も強出力モードを継続させる方が便利なこともある。この点に配慮した実施形態については、後に第２実施形態として説明する。
【００５７】
［各光源の光軸方向について］
第１光源２３−１の光軸Ｘ１および第２光源２３−２の光軸Ｘ２の方向は、各光源（２３−１、２３−２）の取付角度等を調節しておくことにより、例えば図４（Ａ）〜（Ｃ）に示すように設定されている。これらの例について、以下に順に説明する。
【００５８】
図４（Ａ）の例では、光軸Ｘ１と光軸Ｘ２が平行となるように設定されている。この場合には、主に上下左右（光軸を法線とする平面が広がる方向）に見たリモコン信号の届く範囲を、比較的広くしておくことが可能である。図４（Ａ）の例では、この観点からリモコン操作を利き易くしておくことが出来る。
【００５９】
図４（Ｂ）の例では、光軸Ｘ１と光軸Ｘ２が点Ｐにおいて交わるように設定されている。なお光軸Ｘ１の方向は、真正面の方向（リモコン装置２の筐体側面に直交する方向）であり、光軸Ｘ２の方向は、この真正面の方向から少し傾けた方向である。
【００６０】
図４（Ｃ）の例では、光軸Ｘ１と光軸Ｘ２が点Ｐにおいて交わるように設定されている。なお光軸Ｘ１の方向および光軸Ｘ２の方向は、真正面の方向から少し傾けた方向である。また点Ｐは、ほぼリモコン装置２の対称面ＣＬ上に位置している。
【００６１】
図４（Ｂ）および（Ｃ）の場合には、点Ｐにおいてリモコン信号の強度が最大となる。またリモコン装置２から点Ｐまでの距離Ｌは一般的なユーザとテレビ放送受像機１の距離（例えば数メートル程度）に設定されている。点Ｐがテレビ放送受像機１（リモコン信号受信部１３）の近くとなるようにリモコン装置２を使用すれば、テレビ放送受像機１へリモコン信号を効率良く届けることが可能となる。図４（Ｂ）および（Ｃ）の例では、この観点からリモコン操作を利き易くしておくことが出来る。
【００６２】
なお各光軸（Ｘ１、Ｘ２）の向きは、例えば各光源（２３−１、２３−２）の取付角度が変更自在となる構造が採用されることにより、ユーザ等によって調節可能となっていても良い。このようにすれば各光軸（Ｘ１、Ｘ２）の向きを、例えば図４（Ａ）〜（Ｃ）のうちの任意の状態となるように調節することが可能となる。
【００６３】
以上に説明した通りリモコン装置２は、テレビ放送受像機１の操作用のリモコン信号（無線信号）を出力するものである。またリモコン装置２は、ユーザに操作される操作部２１と、ユーザの操作に応じたリモコン信号を出力する光源部２３（第１光源２３−１と第２光源２３−２を有する）を備えている。またリモコン装置２は、テレビ放送受像機１へのリモコン信号の届き難さに関連する判別条件（ステップＳ３、Ｓ４）が満たされたか否かを判別する制御部１２を備えている。なお第１光源２３−１と第２光源２３−２は、無線信号を出力する信号出力部の一形態である。但しこの信号出力部は、光源である形態（光の無線信号を出力する形態）に限られず、光以外の無線信号（光より周波数の低い電波等）を出力する形態であっても構わない。
【００６４】
更にリモコン装置２は、当該判別条件が満たされたときに、第１光源２３−１にリモコン信号を出力させて第２光源２３−２にリモコン信号を出力させない通常モードから、第１光源２３−１および第２光源２３−２にリモコン信号を出力させる強出力モードへ移行する。そのためリモコン装置２によれば、テレビ放送受像機１へのリモコン信号の届き難さに応じて、リモコン信号の出力を強くすることが可能となっている。
【００６５】
また本実施形態での上記判別条件は、操作部２１におけるユーザの操作に関連する条件である。なお操作部２１は、押下操作される第１操作キー（数字キーＫｎなどの連続操作型ではない操作キー）および第２操作キー（連続操作型の操作キー）を有している。
【００６６】
そしてステップＳ３の処理に関する判別条件は、同じ第１操作キーが所定時間内に既定の複数回以上押下されたときに、満たされる条件である。またステップＳ４の処理に関する判別条件は、同じ第２操作キーについての押下の強さが前回の押下時より高かったときに、満たされる条件である。本実施形態のリモコン装置２では、これらの判別条件の少なくとも一方が満たされたときに、通常モードから強出力モードへ移行することになる。
【００６７】
なお、テレビ放送受像機１へのリモコン信号の届き難さに関連する判別条件としては、上述した条件の他、例えばバッテリ２４の電圧を利用した条件を採用することも可能である。当該判別条件としてバッテリ２４の電圧を利用した条件を採用した実施形態については、後に第４実施形態として説明する。
【００６８】
２．第２実施形態
次に第２実施形態について説明する。なお第２実施形態は、動作モード切替処理に関する点を除き、基本的には第１実施形態と同様である。以下の説明では、第１実施形態と異なる部分の説明に重点をおき、共通する部分については説明を省略することがある。
【００６９】
第２実施形態における動作モード切替処理の内容について、図５に示すフローチャートを参照しながら以下に説明する。なお第２実施形態における動作モード切替処理は、主にステップＳ１１〜Ｓ１２の処理が追加された点で、第１実施形態の場合とは異なる。
【００７０】
通常モードにおいてリモコン側制御部２２は、何れかの操作キーが押下されたとき（ステップＳ１のＹ）、この押下された操作キーが連続操作型であるか否かを認識する（ステップＳ２）。
【００７１】
押下された操作キーが連続操作型ではない場合（ステップＳ２のＮ）、リモコン側制御部２２は、今回の押下分を合わせて、当該操作キーが一定期間内に２回以上押下されたか否かを判別する（ステップＳ３）。当該操作キーが一定期間内に２回以上押下された場合には（ステップＳ３のＹ）、リモコン装置２の動作モードは強出力モードへ移行する（ステップＳ５）。なお、当該操作キーが一定期間内に２回以上押下されていない場合には（ステップＳ３のＮ）、動作モード切替処理の流れはステップＳ１に戻る。
【００７２】
一方で押下された操作キーが連続操作型である場合（ステップＳ２のＹ）、リモコン側制御部２２は、当該操作キーについての押下の強さが、前回より今回の方が高いか否かを判別する（ステップＳ４）。当該操作キーについての押下の強さが、前回より今回の方が高い場合には（ステップＳ４のＹ）、リモコン装置２の動作モードは強出力モードへ移行する（ステップＳ５）。なおそうでない場合には（ステップＳ４のＮ）、動作モード切替処理の流れはステップＳ１に戻る。
【００７３】
強出力モードへ移行すると、リモコン側制御部２２は、強出力モード移行回数をカウントアップする（ステップＳ１１）。強出力モード移行回数は、通常モードから強出力モードへ移行した回数を表す。なお強出力モード移行回数は、例えば電源切替キーＫｐが押下されたときに、リセットされるようにしても良い。
【００７４】
次にリモコン側制御部２２は、強出力モード移行回数が既定回数（例えば３回）に達したか否かを判別する（ステップＳ１２）。既定回数に達していない場合には（ステップＳ１２のＮ）、強出力モードへ移行した時点から既定時間が経過すると（ステップＳ６のＹ）、リモコン装置２の動作モードは、通常モードへ移行する（ステップＳ７）。すなわち、強出力モードに移行してからの既定時間後に通常モードへ復帰する復帰動作が行われる。その後、動作モード切替処理の流れはステップＳ１に戻る。
【００７５】
一方で、既定回数に達した場合には（ステップＳ１２のＹ）、リモコン装置２の動作モードが強出力モードのまま、動作モード切替処理は終了される。このようにリモコン装置２は、通常モードから強出力モードへ移行した回数をカウントし、このカウントされた回数が既定回数に達した場合には、復帰動作を実行しないようになっている。
【００７６】
これにより以降は、上述した既定時間の経過後も、強出力モードが継続されることになる。なお動作モード切替処理が終了した後、例えば電源切替キーＫｐが押下されたときには、リモコン装置２の動作モードが通常モードへ復帰するとともに、動作モード切替処理が再開されるようになっていても良い。
【００７７】
第２実施形態では、テレビ放送受像機１へリモコン信号が届き難い状況が長く続くようなときには、強出力モードへの移行が繰返し行われ、強出力モード移行回数が既定値に達すると見込まれる。そのため第２実施形態では、テレビ放送受像機１へリモコン信号が届き難い状況が長く続くようなときには復帰動作が行われないようにし、強出力モードを長く継続させて、リモコン操作が極力利き易くなるようにすることが可能である。
【００７８】
３．第３実施形態
次に第３実施形態について説明する。以下の説明では、第１実施形態と異なる部分の説明に重点をおき、共通する部分については説明を省略することがある。
【００７９】
図６は、第３実施形態に係る電子機器システムの構成に関するブロック図である。また図７は、第３実施形態に係るリモコン装置２の外観図である。図６に示すように当該電子機器システムは、テレビ放送受像機１およびリモコン装置２を有しており、この点では第１実施形態と同様である。但し第３実施形態におけるリモコン装置２の光源部２３は、第１光源２３−１と第２光源２３−２を有する代わりに、単一の光源２３ａを有している。光源２３ａは、リモコン信号の光を出すことが可能な光源であり、例えば赤外線を出すＬＥＤである。
【００８０】
またリモコン側制御部２２は、リモコン信号の光の出力についてのＰＷＭ［Ｐulse Ｗidth Ｍodulation］制御（以下、単に「ＰＷＭ制御」とする）を行うようになっている。図８は、ＰＷＭ制御が行われた場合のリモコン信号の形態を模式的に示したグラフである。図８（図９も同様）では、横軸が時間を表し、縦軸が信号レベルを表している。図８に示すようにリモコン信号は、操作情報Ｄｓを繰返し示すオンデューティの状態と、光源２３ａが終始発光しないオフデューティの状態が、交互に現れる。なお操作情報Ｄｓは、リモコン装置２におけるキー操作の情報（操作キーに対応したコード等を含む）である。
【００８１】
なおオンデューティの長さＴ１とＰＷＭ制御の周期Ｔ２の比、すなわちＰＷＭ制御のデューティ比（＝Ｔ１／Ｔ２）は、リモコン信号の出力の強さを表していると言える。このデューティ比が大きいほど、テレビ放送受像機１へリモコン信号が届き易くなってリモコン操作が利き易くなるが、光源２３ａをより多く発光させる分だけ消費電力は増大する。すなわち、消費電力を抑えようとする観点からは、デューティ比を小さくする方が有利であり、リモコン操作を利き易くしようとする観点からは、デューティ比を大きくする方が有利である。
【００８２】
そこでリモコン側制御部２２は、リモコン装置２の動作モードが通常モードのときには、デューティ比を比較的小さくしておき、強出力モードのときには、デューティ比を比較的大きくする。例えばリモコン側制御部２２は、図９に示すように、通常モードのときにはデューティ比を２５％とし、強出力モードのときにはデューティ比を７５％とする。
【００８３】
このようにリモコン側制御部２２は、第１実施形態と同様の判別条件（ステップＳ３、Ｓ４）が満たされたときに、ＰＷＭ制御のデューティ比を増大させる。すなわち、第１実施形態では、動作モードに応じてリモコン信号の出力に用いる光源の個数を変えるようにしていたが、第３実施形態ではその代わりに、動作モードに応じてＰＷＭ制御のデューティ比を変えるようにしている。これにより第２実施形態のリモコン装置２においても、テレビ放送受像機１へのリモコン信号の届き難さに応じて、リモコン信号の出力を強くすることが可能となっている。
【００８４】
なお、動作モードに応じてＰＷＭ制御のデューティ比を変えるようにする方式は、第１実施形態や第２実施形態においても適用され得る。この場合リモコン側制御部２２は、動作モードに応じて、リモコン信号の出力に用いる光源の個数およびＰＷＭ制御のデューティ比の両方を変えるようにする。
【００８５】
例えば通常モードのとき、リモコン側制御部２２は、第１光源２３−１にリモコン信号を出力させて第２光源２３−２にリモコン信号を出力させないようにし、かつ、ＰＷＭ制御のデューティ比が比較的小さくなるように、光源部２３を制御する。一方で強出力モードのとき、リモコン側制御部２２は、第１光源２３−１および第２光源２３−２にリモコン信号を出力させるようにし、かつ、これらの光源の少なくとも一方についてのＰＷＭ制御のデューティ比が比較的大きくなるように、光源部２３を制御する。これにより、リモコン信号の出力の強さをより効果的に変えることが可能となる。
【００８６】
４．第４実施形態
次に第４実施形態について説明する。以下の説明では、第１実施形態と異なる部分の説明に重点をおき、共通する部分については説明を省略することがある。
【００８７】
図１０は、第４実施形態に係る電子機器システムの構成に関するブロック図である。図１０に示すように当該電子機器システムは、テレビ放送受像機１およびリモコン装置２を有しており、この点では第１実施形態と同様である。第４実施形態では更に、リモコン側制御部２２が、バッテリ２４の電圧を監視するようになっている。
【００８８】
ここでバッテリ２４の電圧が低くなり過ぎている場合には、光源部２３に供給される電圧が低くなるために光源の発光強度が下がり、リモコン信号の出力の強さが通常より下落する。そのためこの場合には、テレビ放送受像機１へリモコン信号が届き難くなっていると想定される。そこでリモコン側制御部２２は、バッテリ２４の電圧が所定値以下となっている場合には、リモコン装置２の動作モードを強出力モードへ移行させる。これにより、テレビ放送受像機１へのリモコン信号の届き難さに応じて、リモコン信号の出力を強くすることが可能である。
【００８９】
なお、バッテリ２４の電圧に応じてリモコン装置２の動作モードを変えるようにする方式は、第１〜第３実施形態においても適用され得る。この場合リモコン側制御部２２は、例えばステップＳ３或いはＳ４の条件が満たされた場合だけでなく、バッテリ２４の電圧が所定値以下となっているときにも、リモコン装置２の動作モードを強出力モードへ移行させる。これによりテレビ放送受像機１へリモコン信号が届き難くなったときに、リモコン装置２の動作モードを、より確実に強出力モードへ移行させることが可能となる。
【００９０】
上述した通り第４実施形態では、テレビ放送受像機１へのリモコン信号の届き難さに関連する判別条件として、バッテリ２４の電圧を利用した条件が採用されている。第４実施形態のリモコン装置２においても第１実施形態の場合と同様に、テレビ放送受像機１へのリモコン信号の届き難さに応じて、リモコン信号の出力を強くすることが可能である。
【００９１】
５．その他
本発明の構成は上記の各実施形態や変形例のほか、発明の主旨を逸脱しない範囲で種々の変更を加えることが可能である。すなわち、上記実施形態は、全ての点で例示であって、制限的なものではないと考えられるべきである。例えば上記の説明では、電子機器の一例としてテレビ放送受像機を挙げたが、本発明のリモートコントロール装置を用いて操作される電子機器はこれに限定されない。
【００９２】
また本発明の技術的範囲は、上記実施形態の説明ではなく、特許請求の範囲によって示されるものであり、特許請求の範囲と均等の意味及び範囲内に属する全ての変更が含まれると理解されるべきである。また本発明は、各種電子機器の操作に用いるリモートコントロール装置に利用することができる。
【符号の説明】
【００９３】
１        テレビ放送受像機（電子機器）
１１      受像動作部
１１ａ    テレビ放送受信部
１１ｂ    信号処理部
１１ｃ    ディスプレイ
１１ｄ    スピーカ
１２      テレビ側制御部
１３      リモコン信号受信部
２        リモコン装置
２１      操作部
２２      リモコン側制御部
２３      光源部
２３−１  第１光源
２３−２  第２光源
２４      バッテリ
【図１】
2014225767.tif 000003
【図２】
2014225767.tif 000004
【図３】
2014225767.tif 000005
【図４】
2014225767.tif 000006
【図５】
2014225767.tif 000007
【図６】
2014225767.tif 000008
【図７】
2014225767.tif 000009
【図８】
2014225767.tif 000010
【図９】
2014225767.tif 000011
【図１０】
2014225767.tif 000012